(57)【要約】【課題】コンテンツ画像そのものをユーザに提供できる写真撮影装置等を提供する。【解決手段】写真撮影装置１は、ユーザを撮影して撮影画像を得る撮影部１１０と、撮影画像におけるユーザの人物画像とコンテンツ画像２１とを合成した合成画像を作成し、ユーザに提供する合成画像提供部１２０と、人物画像が合成されないコンテンツ画像２１をユーザに提供するコンテンツ画像提供部１３０と、を有する。また、同じコンテンツ画像２１に対し、人物画像と当該コンテンツ画像２１を合成した合成画像の提供を受けるか、人物画像が合成されない当該コンテンツ画像２１の提供を受けるかが選択可能である。【選択図】図４
2019148903.tif 000002
【特許請求の範囲】
【請求項１】
ユーザを撮影して撮影画像を得る撮影部と、
前記撮影画像におけるユーザの人物画像とコンテンツ画像とを合成した合成画像を作成し、ユーザに提供する合成画像提供部と、
前記人物画像が合成されないコンテンツ画像をユーザに提供するコンテンツ画像提供部と、
を有することを特徴とする写真撮影装置。
【請求項２】
同じコンテンツ画像に対し、前記人物画像と当該コンテンツ画像を合成した合成画像の提供を受けるか、前記人物画像が合成されない当該コンテンツ画像の提供を受けるか選択可能であることを特徴とする請求項１記載の写真撮影装置。
【請求項３】
前記コンテンツ画像提供部で提供可能なコンテンツ画像には、
前記合成画像提供部で前記人物画像と合成できないものが含まれていることを特徴とする請求項１または請求項２記載の写真撮影装置。
【請求項４】
前記合成画像提供部で前記人物画像と合成可能なコンテンツ画像には、
前記コンテンツ画像提供部で提供できないものが含まれていることを特徴とする請求項１から請求項３のいずれかに記載の写真撮影装置。
【発明の詳細な説明】
【技術分野】
【０００１】
本発明は、写真撮影装置に関する。
【背景技術】
【０００２】
ユーザを撮影してその撮影画像をプリントする写真撮影装置は種々存在する。このような写真撮影装置では、所定色の背景板をバックにしてユーザを撮影することで、撮影画像からユーザの人物画像のみを抽出し、予め選択されたコンテンツ画像に合成（クロマキー合成）するサービスも行われている。
【０００３】
例えば特許文献１には、被写体を撮影して得た人物画像をキャラクターや有名人のコンテンツ画像と合成する写真シール作成装置が記載されている。
【先行技術文献】
【特許文献】
【０００４】
【特許文献１】特開2014-174333号公報
【発明の概要】
【発明が解決しようとする課題】
【０００５】
このようなキャラクターや有名人のコンテンツ画像には、それ自体ユーザにとって価値があり、自身が被写体として写らないコンテンツ画像そのものが欲しいユーザもいる。しかしながら、従来そのような需要に応える写真撮影装置はなく、またコンテンツ画像の販売機と写真撮影装置とを両方用意するのもスペースが必要であり、コストがかかる。
【０００６】
本発明は上記の問題に鑑みてなされたものであり、コンテンツ画像そのものをユーザに提供できる写真撮影装置等を提供することを目的とする。
【課題を解決するための手段】
【０００７】
前述した課題を解決するための本発明は、ユーザを撮影して撮影画像を得る撮影部と、前記撮影画像におけるユーザの人物画像とコンテンツ画像とを合成した合成画像を作成し、ユーザに提供する合成画像提供部と、前記人物画像が合成されないコンテンツ画像をユーザに提供するコンテンツ画像提供部と、を有することを特徴とする写真撮影装置である。
【０００８】
本発明の写真撮影装置によれば、ユーザはコンテンツ画像と自身の人物画像を合成した合成画像を得ることができるとともに、ユーザが希望すれば、自身が被写体として写っていないコンテンツ画像そのものを得ることができる。これにより、ユーザの多様な需要に応えることができ、またコンテンツ画像そのものの提供と写真撮影を一つの装置で行えるので省スペースになる。
【０００９】
同じコンテンツ画像に対し、前記人物画像と当該コンテンツ画像を合成した合成画像の提供を受けるか、前記人物画像が合成されない当該コンテンツ画像の提供を受けるか選択可能であることが望ましい。
これにより、同じコンテンツ画像に対し、自身が写った合成画像を得ることも、自身が写っていないコンテンツ画像そのものを得ることも可能になる。
【００１０】
前記コンテンツ画像提供部で提供可能なコンテンツ画像には、前記合成画像提供部で前記人物画像と合成できないものが含まれていることも望ましい。あるいは、前記合成画像提供部で前記人物画像と合成可能なコンテンツ画像には、前記コンテンツ画像提供部で提供できないものが含まれていることも望ましい。
これにより、人物画像と合成せずに提供する専用のコンテンツ画像や、人物画像と合成した合成画像として提供する専用のコンテンツ画像を用意し、多様なコンテンツ画像の提供が可能になる。
【発明の効果】
【００１１】
本発明により、コンテンツ画像そのものをユーザに提供できる写真撮影装置等を提供することができる。
【図面の簡単な説明】
【００１２】
【図１】写真撮影装置１の外観を示す図。
【図２】写真撮影装置１のシステム構成を示す図。
【図３】制御装置１０のハードウェア構成を示す図。
【図４】写真撮影装置１の機能構成を示す図。
【図５】コンテンツ画像２１の例。
【図６】写真撮影装置１とサーバ３を示す図。
【図７】写真撮影装置１の処理の概略を示すフローチャート。
【図８】表示部１１の表示画面の例。
【図９】合成画像２３の例。
【図１０】色補正の例。
【発明を実施するための形態】
【００１３】
以下、図面に基づいて本発明の好適な実施形態について詳細に説明する。
【００１４】
（１．写真撮影装置１）
図１は本発明の実施形態に係る写真撮影装置１の外観を示す図であり、図２は写真撮影装置１のシステム構成を示す図である。
【００１５】
写真撮影装置１はユーザが中に入って撮影を行うボックス状の外観を有し、制御装置１０、表示部１１、課金部１２、撮影部１３、照明１４、プリンタ１５、プリント物取出口１７、背景板１８等を有する。背景板１８以外は、主に写真撮影装置１の前部（図１の左側に対応する）に設けられる。
【００１６】
制御装置１０は写真撮影装置１の内部に設けられ、写真撮影装置１の処理全体を制御する。
【００１７】
図３は制御装置１０のハードウェア構成を示す図である。図３に示すように、制御装置１０は、例えば制御部１０１、記憶部１０２、入力部１０３、通信制御部１０４等をバス等により接続して構成したコンピュータにより実現できる。但しこれに限ることなく、適宜様々な構成をとることができる。
【００１８】
制御部１０１はCPU、ROM、RAMなどから構成される。CPUは、記憶部１０２、ROMなどの記憶媒体に格納された制御装置１０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１０２、ROMなどからロードしたプログラムやデータを一時的に保持するとともに、制御部１０１が各種処理を行うために使用するワークエリアを備える。
【００１９】
記憶部１０２はハードディスクドライブやソリッドステートドライブ、フラッシュメモリ等であり、後述する処理に際し制御装置１０が実行するプログラム、プログラム実行に必要なデータ、OSなどが格納される。これらのプログラムやデータは、制御部１０１により必要に応じて読み出され実行される。本実施形態では、記憶部１０２に後述するコンテンツ画像等のデータが格納されている。
【００２０】
入力部１０３は制御装置１０に各種の設定入力を行うものである。
通信制御部１０４はネットワーク等を介した通信を媒介する通信インタフェースであり、後述するサーバ等との間で通信を行う。
【００２１】
図１、２の説明に戻る。表示部１１は、写真撮影装置１の入力部を兼ねたタッチパネル付ディスプレイ等により実現される。表示部１１は、ユーザの操作、選択に係る各種の画面を表示し、画面上でのユーザの指示入力等を受付ける。
【００２２】
課金部１２は、硬貨や紙幣の投入口、つり銭返却口、レシート取出口、レシートプリンタ等（不図示）を備え、ユーザからの課金やレシートの発行を管理する。
【００２３】
撮影部１３は、撮影窓の内側にカメラ等を設けたものである。カメラには例えば高解像度のデジタルカメラが用いられるが、これに限ることはない。
【００２４】
照明１４はユーザを撮影する際の照明である。照明１４は例えば白色の光を照射する面光源であり、撮影部１３の上部に設けられるが、これに限ることはない。
【００２５】
プリンタ１５は、画像をプリントするものであり、写真撮影装置１の内部に設けられる。画像をプリントしたプリント物はプリント物取出口１７に排出される。プリンタ１５の方式や設置台数等は特に問わない。
【００２６】
背景板１８は、写真撮影装置１の後部（図１の右側に対応する）に設けられ、ユーザの撮影時の背景となる。背景板１８は所定色のパネル等により構成される。
【００２７】
図４は写真撮影装置１の機能構成を示す図である。図４に示すように、写真撮影装置１は、撮影部１１０、合成画像提供部１２０、コンテンツ画像提供部１３０等を有する。
【００２８】
撮影部１１０は前記の撮影部１３に対応し、ユーザを撮影して撮影画像を得るものである。
【００２９】
合成画像提供部１２０は、上記撮影画像におけるユーザの人物画像とコンテンツ画像２１とを合成した合成画像を作成し、これをユーザに提供するものである。
【００３０】
コンテンツ画像提供部１３０は、ユーザの人物画像が合成されないコンテンツ画像２１そのものをユーザに提供するものである。特に本実施形態では、同じコンテンツ画像２１に対し、人物画像と当該コンテンツ画像２１を合成した合成画像の提供を受けるか、人物画像が合成されない当該コンテンツ画像２１そのものの提供を受けるか選択可能である。
【００３１】
図５はコンテンツ画像２１の一例である。コンテンツ画像２１は例えばキャラクターの画像であるが、コンテンツ画像２１はどのようなものでも構わない。例えばコンテンツ画像２１を有名な人物やグループの画像とし、ユーザとのツーショット風の合成ができるもの、ユーザがグループの一員になれる構図のものなどであってもよい。
【００３２】
図６に示すように、写真撮影装置１は管理用のサーバ３とネットワーク６を介して接続される。サーバ３は写真撮影装置１の状態に関するデータをネットワーク６を通じて写真撮影装置１から受信する。またコンテンツ画像２１のデータを管理してこれを写真撮影装置１に配信し、遠隔でコンテンツ画像２１の更新を行うことも可能である。
【００３３】
（２．写真撮影装置１の処理）
図７は、写真撮影装置１の処理の概略を示すフローチャートである。図７の各ステップは、写真撮影装置１の制御装置１０が写真撮影装置１の各部を制御することにより実行される。
【００３４】
本実施形態では、まず写真撮影装置１が表示部１１に操作案内画面（不図示）を表示して撮影に係る操作案内を行うとともに、コンテンツ画像選択画面を表示部１１に表示し、コンテンツ画像２１の選択を受付ける（Ｓ１）。
【００３５】
図８（ａ）はこのコンテンツ画像選択画面２００の例であり、複数のコンテンツ画像２１が選択可能に表示される。
【００３６】
写真撮影装置１は、コンテンツ画像２１が選択されると、ユーザの人物画像と当該コンテンツ画像２１を合成した合成画像の提供を受けるか、人物画像が合成されないコンテンツ画像そのものの提供を受けるかを選択する提供方法選択画面を表示し、コンテンツ画像２１の提供方法の選択を受付ける（Ｓ２）。
【００３７】
図８（ｂ）はこの提供方法選択画面３００の例である。提供方法選択画面３００では、Ｓ１で選択されたコンテンツ画像２１に関し、ユーザの撮影を行って合成画像の提供を受けることを選択するための選択ボタン３１と、ユーザの撮影を行わずにコンテンツ画像２１そのものの提供を受けることを選択するための選択ボタン３２が表示される。
【００３８】
ユーザが選択ボタン３１にタッチし、合成画像の提供を受けることを選択すると（Ｓ２；合成画像の提供）、写真撮影装置１は図８（ｃ）に示すように課金を促す課金画面４００を表示部１１に表示し、ユーザは課金部１２にて課金を行う。
【００３９】
写真撮影装置１は、ユーザからの課金を受付ける（Ｓ３）と、図８（ｄ）に示すようなインストラクション画面５００を表示部１１に表示し、照明１４を点灯させ撮影部１３によってユーザの撮影を行う（Ｓ４）。
【００４０】
ユーザの撮影を行うと、写真撮影装置１は、撮影画像におけるユーザの人物画像をコンテンツ画像２１の上に重畳して合成（クロマキー合成）する（Ｓ５）。
【００４１】
Ｓ５では、図９に示すように撮影画像１００からユーザの人物画像２２を抽出し、これをコンテンツ画像２１の所定位置に合成することで合成画像２３を作成する。人物画像２２の抽出は、撮影画像１００から背景板１８の色の領域ａを除く領域を抽出することにより行うことができる。
【００４２】
合成画像２３の作成時には、コンテンツ画像２１または人物画像２２の色補正を予め行うことで、コンテンツ画像２１と人物画像２２の間の違和感を軽減することも可能である。
【００４３】
例えば、コンテンツ画像２１の色を人物画像２２の色に合わせる補正を行うことで、コンテンツ画像２１と人物画像２２の色味の違いによる違和感を低減できる。具体的には、例えばコンテンツ画像２１の各画素の色を人物画像２２の代表色（例えば人物画像２２の各画素の色の平均値など）に所定値だけ近付けるような調整を行う。
【００４４】
ここで、「色」とは色度（色相・彩度）と輝度（明度）を含む概念をいうものとし、各画素の輝度や色度は、例えば画素のRGB値を既知の手法でL*a*b*表色系の各値に変換して得ることができる。L*a*b*表色系では、L*によって輝度が、a*、b*によって色度が表され、図１０に示すように、コンテンツ画像２１の各画素の色（一例をｈ１、ｈ２で示す）を、人物画像２２の代表色Ｂに所定値Δｈだけ近づけるような補正を行う。同様にして、人物画像２２の色をコンテンツ画像２１の色に合わせる補正を行ってもよい。なお上記は色補正の一例であり、色補正がこれに限定されることはない。
【００４５】
写真撮影装置１は、こうして作成した合成画像２３をプリンタ１５でプリントする（Ｓ６）。合成画像２３はユーザの端末等にデータとしてダウンロードできるようにしてもよい。
【００４６】
一方、写真撮影装置１は、提供方法選択画面３００（図８（ｂ）参照）においてユーザが選択ボタン３２にタッチし、人物画像２２が合成されないコンテンツ画像２１そのものの提供を受けることを選択すると（Ｓ２；コンテンツ画像そのものの提供）、図８（ｃ）と同様の課金画面を表示部１１に表示し、ユーザは課金部１２にて課金を行う。
【００４７】
写真撮影装置１は、ユーザからの課金を受付ける（Ｓ７）と、コンテンツ画像２１をそのままプリンタ１５でプリントする（Ｓ８）。コンテンツ画像２１はユーザの端末等にデータとしてダウンロードできるようにしてもよい。
【００４８】
以上説明したように、本実施形態の写真撮影装置１によれば、ユーザはコンテンツ画像２１と自身の人物画像２２を合成した合成画像２３を得ることができるとともに、ユーザが希望すれば、自身が被写体として写っていないコンテンツ画像２１そのものを得ることができる。これにより、ユーザの多様な需要に応えることができ、またコンテンツ画像２１の販売と写真撮影を一つの装置で行えるので省スペースになる。
【００４９】
また本実施形態では、ユーザが同じコンテンツ画像２１に対し、自身が写った合成画像２３を得ることも、コンテンツ画像２１そのものを購入することも可能になる。
【００５０】
しかしながら、本発明は上記の実施形態に限らない。例えば本実施形態では先にコンテンツ画像選択画面２００を表示し、コンテンツ画像２１を選択してから提供方法選択画面３００で提供方法の選択（図７のＳ２）を行ったが、先に提供方法選択画面３００を表示し、提供方法を選択してからコンテンツ画像選択画面２００でコンテンツ画像２１を選択してもよい。あるいは、コンテンツ画像２１の選択と提供方法の選択が一つの画面でできるようにしてもよい。
【００５１】
また、前記のＳ７、Ｓ８で人物画像２２と合成せずに提供することのできるコンテンツ画像２１として、前記のＳ３〜Ｓ６で人物画像２２と合成して提供できないものが含まれていてもよい。すなわち、コンテンツ画像２１の中に、販売専用の（人物画像２２と合成できない）コンテンツ画像２１が含まれていてもよい。
【００５２】
例えば前記の実施形態のように先にコンテンツ画像選択画面２００を表示する場合、販売専用のコンテンツ画像２１が選択されると提供方法選択画面３００で合成画像としての提供（図８（ｂ）の選択ボタン３１）が選択できないようにする。一方、先に提供方法選択画面３００を表示する場合、コンテンツ画像２１そのものの提供（図８（ｂ）の選択ボタン３２）が選択された場合のみ、コンテンツ画像選択画面２００で販売専用のコンテンツ画像２１を選択可能に表示する。
【００５３】
これとは逆に、前記のＳ３〜Ｓ６で人物画像２２と合成して提供できるコンテンツ画像２１として、前記のＳ７、Ｓ８でコンテンツ画像２１そのものの提供ができないものが含まれていてもよい。すなわち、コンテンツ画像２１の中に、合成専用のコンテンツ画像２１が含まれていてもよい。
【００５４】
例えば前記の実施形態のように先にコンテンツ画像選択画面２００を表示する場合、合成専用のコンテンツ画像２１が選択されると提供方法選択画面３００でコンテンツ画像２１そのものの提供（図８（ｂ）の選択ボタン３２）が選択できないようにする。一方、先に提供方法選択画面３００を表示する場合、合成画像２３としての提供（図８（ｂ）の選択ボタン３１）が選択された場合のみ、コンテンツ画像選択画面２００で合成専用のコンテンツ画像２１を選択可能に表示する。
【００５５】
このように、販売専用のコンテンツ画像２１や合成専用のコンテンツ画像２１を用意しておくことで、多様なコンテンツ画像の提供が可能になる。
【００５６】
また本実施形態では、課金によりコンテンツ画像２１そのものの提供を行っているが、無料で提供を行ってもよい。例えば合成画像２３をプリントしたユーザに当該合成画像２３中のコンテンツ画像２１そのものを無料で提供することも可能である。
【００５７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５８】
１：写真撮影装置
３：サーバ
６：ネットワーク
１０：制御装置
１１：表示部
１２：課金部
１３：撮影部
１４：照明
１５：プリンタ
１７：プリント物取出口
１８：背景板
２１：コンテンツ画像
２２：人物画像
２３：合成画像
１００：撮影画像
１１０：撮影部
１２０：合成画像提供部
１３０：コンテンツ画像提供部
【図１】
2019148903.tif 000003
【図２】
2019148903.tif 000004
【図３】
2019148903.tif 000005
【図４】
2019148903.tif 000006
【図５】
2019148903.tif 000007
【図６】
2019148903.tif 000008
【図７】
2019148903.tif 000009
【図８】
2019148903.tif 000010
【図９】
2019148903.tif 000011
【図１０】
2019148903.tif 000012